(57)【要約】 【課題】  回路基板等に反りがあっても確実に電気的接続をできる電気コネクタを提供する。【解決手段】  ２つのビーム１１ｂ，１１ｃが互いに近づいたり離れたりする二次元的な弾性変形が可能にされた平板状のコンタクト１１を、絶縁ハウジング１０のコンタクト支持部１０ａに揺動できるように保持してフローティング構造とする。コンタクト１１の接触部１１ｅおよび接触部１１ｆの位置を上下に重なるように配置して支持部１１ａの回りの回転モーメントを抑えて、コンタクト１１をその１ヶ所で保持する。【選択図】  図３
2006073442.tif 000002
【特許請求の範囲】
【請求項１】
第１の電気回路に対向する第１面および第２の電気回路に対向する第２面を有する絶縁ハウジングと、
前記絶縁ハウジングに装着され、前記第１面で前記第１の電気回路の接点と接触し、前記第２面で前記第２の電気回路の接点と接触して、これらを相互に接続するコンタクトと
を備える電気コネクタであって、
前記コンタクトが、前記第１の接触部および前記第２の接触部の変位に応じて揺動できるように、その１ヶ所で前記絶縁ハウジングに保持されていることを特徴とする電気コネクタ。
【請求項２】
前記コンタクトが、前記絶縁ハウジングへの取付部と前記第１の電気回路の接点に接触する第１の接触部と前記第２の電気回路の接点に接触する第２の接触部とを同一面内に有し、前記第１の接触部と前記第２の接触部が前記面内で弾性的に変位できることを特徴とする請求項１記載の電気コネクタ。
【請求項３】
第１の電気回路に対向する第１面および第２の電気回路に対向する第２面を有する絶縁ハウジングと、
前記絶縁ハウジングに装着され、前記第１面で前記第１の電気回路の接点と接触し、前記第２面で前記第２の電気回路の接点と接触して、これらを相互に接続するコンタクトと
を備える電気コネクタであって、
前記コンタクトは、その１ヶ所で前記絶縁ハウジングに固定されて自立し、その撓みおよび捩れより前記第１の電気回路の接点に接触する第１の接触部および前記第２の電気回路の接点に接触する第２の接触部が弾性的に変位できることを特徴とする電気コネクタ。
【請求項４】
前記コンタクトが、前記絶縁ハウジングの第１面および第２面の平面視で同一位置で前記第１の電気回路の接点および前記第２の電気回路の接点と接触することを特徴とする請求項１ないし請求項３のいずれかに記載の電気コネクタ。
【請求項５】
前記コンタクトは、前記絶縁ハウジングの第１の面からこれに対向する前記第２の面に向かって一方向に挿入されて、前記絶縁ハウジングに保持されることを特徴とする請求項１ないし請求項４のいずれかに記載の電気コネクタ。
【発明の詳細な説明】
【技術分野】
【０００１】
本発明は、複数の接点を有する電気回路を相互に接続する電気コネクタに関し、特にＬＧＡパッケージの接続に用いられる電気コネクタに関する。
【背景技術】
【０００２】
集積回路（ＩＣ）等のアレイ状に配列された複数の接点を有する電気回路と基板上に形成された他の電気回路とを電気的に接続するために、従来のＢＧＡ(Ball Grid Array)パッケージでは回路基板に直接半田付けすることが行われてきた。しかし、半田付け時の際の熱による悪影響が懸念されることや交換作業が困難であることなどから、回路基板に直接に半田付けをせずにソケット型の電気コネクタを介して基板に接続するようにしたＬＧＡ（Land  Grid  Array）パッケージが用いられている。
【０００３】
このようなＬＧＡパッケージと回路基板とに挟まれてこれらを電気的に接続する電気コネクタには、実装される回路基板などに反りなどが生じると接点間に隙間を生じてしまい、確実な電気的接続を維持することが困難になるという問題がある。そこで、このような問題を解決できる電気コネクタを提供するために、特許文献１には、フレキシブル回路部材をスプリング手段と共に配置してコンタクトを構成することが記載されている。また、特許文献２および特許文献３には、それぞれＣ字形状および渦巻状の弾性を有するコンタクトを用いることが記載されている。また、特許文献４には、ばね性をもった片持ち状のコンタクトを用いることが記載されている。
【特許文献１】特開平６−８９７６４号公報（図２、図１１）
【特許文献２】特開平５−２２６０４３号公報（図２）
【特許文献３】特開平１１−１５４５４５号公報（図１）
【特許文献４】特開２０００−２３１４０１号公報（図６、図７）
【発明の開示】
【発明が解決しようとする課題】
【０００４】
しかし、特許文献１に記載されたコンタクトを用いる場合には、ハウジング内にコンタクトを保持するために位置決め部材を別途配置する必要があり、コンタクトを高密度に配置したりコネクタを低背化することが困難である。また、特許文献２および特許文献３に記載されたコンタクトを用いる場合には、コンタクトを収容したハウジングの上面に蓋体を別途必要とするため低背化が困難になり、コンタクト自体も形状が複雑であるため形成することが難しい。さらに、特許文献４に記載されたコンタクトを用いる場合には、ハウジングの少なくとも２点でコンタクトを支持する必要があるためコンタクトの配置間隔を小さくできず、コンタクトの装着作業も面倒である。
【０００５】
本発明は、このような課題を解決するためになされたものであり、実装される回路基板等に反りがあってもＬＧＡパッケージと回路基板との間で電気的接続を確実に保つことができ、しかも高密度化・低背化を図ることが可能な電気コネクタを提供することを目的とする。
【課題を解決するための手段】
【０００６】
本発明の請求項１に係る電気コネクタは、第１の電気回路に対向する第１面および第２の電気回路に対向する第２面を有する絶縁ハウジングと、前記絶縁ハウジングに装着され、前記第１面で前記第１の電気回路の接点と接触し、前記第２面で前記第２の電気回路の接点と接触して、これらを相互に接続するコンタクトとを備え、前記コンタクトが、その１ヶ所で前記第１の接触部および前記第２の接触部の変位に応じて揺動できるように前記絶縁ハウジングに保持されていることを特徴とするものである。
【０００７】
また、本発明の請求項２に係る電気コネクタは、請求項１に係る電気コネクタにおいて、前記コンタクトが、前記絶縁ハウジングへの取付部と前記第１の電気回路の接点に接触する第１の接触部と前記第２の電気回路の接点に接触する第２の接触部とを同一面内に有し、前記第１の接触部と前記第２の接触部が前記面内で弾性的に変位できることを特徴とするものである。
【０００８】
また、本発明の請求項３に係る電気コネクタは、第１の電気回路に対向する第１面および第２の電気回路に対向する第２面を有する絶縁ハウジングと、前記絶縁ハウジングに装着され、前記第１面で前記第１の電気回路の接点と接触し、前記第２面で前記第２の電気回路の接点と接触して、これらを相互に接続するコンタクトとを備える電気コネクタであって、前記コンタクトが、その１ヶ所で前記絶縁ハウジングに固定されて自立し、その撓みおよび捩れより前記第１の電気回路の接点に接触する第１の接触部および前記第２の電気回路の接点に接触する第２の接触部が弾性的に変位できることを特徴とするものである。
【０００９】
また、本発明の請求項４に係る電気コネクタは、請求項１ないし請求項３に記載の電気コネクタにおいて、前記コンタクトが、前記絶縁ハウジングの第１面および第２面の平面視で同一位置で前記第１の電気回路の接点および前記第２の電気回路の接点と接触することを特徴とするものである。
【００１０】
また、本発明の請求項５に係る電気コネクタは、請求項１ないし請求項４に記載の電気コネクタにおいて、前記コンタクトが、前記絶縁ハウジングの第１の面からこれに対向する前記第２の面に向かって一方向に挿入されて、前記ハウジングに保持されることを特徴とするものである。
【発明の効果】
【００１１】
本発明の請求項１に係る電気コネクタは、第１の電気回路に対向する第１面および第２の電気回路に対向する第２面を有する絶縁ハウジングと、前記絶縁ハウジングに装着され、前記第１面で前記第１の電気回路の接点と接触し、前記第２面で前記第２の電気回路の接点と接触して、これらを相互に接続するコンタクトとを備えており、前記コンタクトが、その１ヶ所で前記第１の接触部および前記第２の接触部の変位に応じて揺動できるように前記絶縁ハウジングに保持されるようにしたので、単純な形状のコンタクトを用いてフローティング構造の電気コネクタを実現することができ、低背化や高密度化を妨げることもない。
【００１２】
また、本発明の請求項２に係る電気コネクタは、請求項１に係る電気コネクタにおいて、前記コンタクトが、前記絶縁ハウジングへの取付部と前記第１の電気回路の接点に接触する第１の接触部と前記第２の電気回路の接点に接触する第２の接触部とを同一面内に有し、前記第１の接触部と前記第２の接触部が前記面内で弾性的に変位するようにしたので、コンタクトの形状を製造や寸法管理が容易な平板状にすることができ、これを用いる電気コンタクトの一層の低背化や、接点の高密度化を図ることができる。
【００１３】
また、本発明の請求項３に係る電気コネクタは、第１の電気回路に対向する第１面および第２の電気回路に対向する第２面を有する絶縁ハウジングと、前記絶縁ハウジングに装着され、前記第１面で前記第１の電気回路の接点と接触し、前記第２面で前記第２の電気回路の接点と接触して、これらを相互に接続するコンタクトとを備え、前記コンタクトが、その１ヶ所で前記絶縁ハウジングに固定されて自立し、その撓みおよび捩れより前記第１の電気回路の接点に接触する第１の接触部および前記第２の電気回路の接点に接触する第２の接触部が弾性的に変位できるようにされているため、コネクタの高さを大きくすることなく接触部の変位量が大きい電気コネクタを実現することができる。
【００１４】
また、本発明の請求項４に係る電気コネクタは、請求項１ないし請求項３に記載の電気コネクタにおいて、前記コンタクトが、前記絶縁ハウジングの第１面および第２面の平面視で同一位置で前記第１の電気回路の接点および前記第２の電気回路の接点と接触するようにしたため、コンタクトに回転モーメントがほとんど発生せず、コンタクトをハウジングに強固に固定する必要がない。すなわち、コンタクトを脱落しないようにハウジングに保持させればよいため、コンタクトを１ヶ所で揺動可能にフローティング保持することが可能であり、コンタクトを固定保持する場合にも支持部の構成を大幅に簡略化できるため、コンタクトを高密度に配置することができる。
【００１５】
また、本発明の請求項５に係る電気コネクタは、請求項１ないし請求項４に記載の電気コネクタにおいて、前記コンタクトが、前記絶縁ハウジングの第１の面からこれに対向する前記第２の面に向かって一方向に挿入されて、前記コンタクトに保持されているため、コンタクトをハウジングに装着する作業を容易化することができる。しかも、コンタクトがそのままハウジングに保持されるようにしたため、コンタクトをハウジングに保持するための蓋体などの特別の部材を配置する必要もないため、電気コンタクトの低背化が妨げられることもない。
【発明を実施するための最良の形態】
【００１６】
本発明に係る電気コネクタの好適な実施形態を、図面を参照しながら説明する。なお、以下では、便宜的に各図面における上方および下方をそのまま上方向および下方向という。また、各実施形態について共通する部分には共通の符号を付す。
【００１７】
図１から図４は、本発明に係る電気コネクタの第１の実施形態を示している。
【００１８】
図１は、電気コネクタ１００の絶縁ハウジング１０（以下、単にハウジングともいう。）にコンタクト１１が装着された状態を示す平面図であり、ハウジング１０の一部のみを示している。ハウジング１０の第１の面（図１では上面）１０ｐには、コンタクト１１を収容するコンタクト収容溝１０ｄが形成され、各コンタクト収容溝１０ｄの上部は必要に応じてコンタクト１１をガイドするため断面がＶ溝形状とされ、コンタクト１１を支持するためのコンタクト支持部１０ａ（図３）が所定間隔で設けられる。また、ハウジング１０の第１の面１０ｐおよび第２の面（下面）１０ｓにそれぞれ配置される第１の電気回路の接点と第２の電気回路の接点と（いずれも図示せず。）をコンタクト１１を介して相互に電気的に接続するコンタクト１１の接触部が配置されるコンタクトキャビティ１０ｃ（図３）が所定間隔でハウジング１０の上下面に開口している。なお、コンタクト収容溝１０ｄに設けられている矩形の凹部はコンタクト１１をコンタクト支持部１０ａに装着する作業を行う際に使用されるコンタクト挿入孔１０ｅである。このようなハウジングは所定の特性を有する合成樹脂などにより構成することができる。
【００１９】
図２は、ハウジング１０に装着されるコンタクト１１の形状を示す３面図であり、図２（ａ）は平面図、図２（ｂ）は正面図、図２（ｃ）は右側面図である。このコンタクト１１は、絶縁ハウジング１０のコンタクト支持部１０ａに嵌め込まれて支持される支持部１１ａと、支持部１１ａから延びる２つの片持ち状のビーム１１ｂ，１１ｃとを有する平板状の部材である。上側ビーム１１ｂおよび下側ビーム１１ｃはコンタクト支持部１１ａを介して一体に形成されており、その先端に形成された接触部１１ｅおよび１１ｆがそれぞれ第１の電気回路の接点５０１および第２の電気回路の接点５０２と接触してこれらを相互に電気的に接続する。コンタクト１１の２つのビーム１１ｂおよび１１ｃは、互いに近づいたり離れたりする二次元的な弾性変形が可能なようにされている。このような平板状のコンタクト１１は、例えば銅合金のような弾性および電気伝導性に優れる金属板を打ち抜き加工することにより形成することができる。コンタクト１１には、必要に応じて金めっき等が施される。
【００２０】
図３は、ハウジング１０にコンタクト１１が装着された状態を示す断面図である。図３（ａ）はコンタクト収容溝１０ｄに沿ってその中央でハウジング１０を切断した断面の一部を、図３（ｂ）は図１のＡ−Ａ位置でコンタクト収容溝１０ｄと直交する方向に切断した断面の一部を、それぞれ示す。
【００２１】
コンタクト１１は、その支持部１１ａのみが絶縁ハウジング１０のコンタクト支持部１０ａに嵌め込まれて保持され、コンタクト収容溝１０ｄ内で自由に揺動できるようにされている。これにより、コンタクト１１の接触部１１ｅ，１１ｆの一方に加えられた力が他方の接触部に伝わる、いわゆるフローティング構造を実現できる。これにより、接続される電気回路の電極５０１および５０２との距離が相対的に変化したときに、コンタクトの各接触部が独立して変位する非フローティング構造に比べてコンタクト１１のビーム１１ｂおよび１１ｃの変位量が少なくて済み、接触部１１ｅおよび１１ｆを電極５０１および５０２の両方と常に接触させて電気的な接続状態を安定に維持することができる。また、このようなフローティング構造を採用すると、コンタクト１１の寸法公差を、２つの接触部１１ｅおよび１１ｆの間の寸法のみによって管理することができる点においても有利である。
【００２２】
コンタクト１１の接触部１１ｅおよび接触部１１ｆが、ハウジングの上下に配置される電気回路の電極５０１および５０２に挟まれてハウジング１０内に押し込まれると、コンタクト１１はビーム１１ｂおよび１１ｃがコンタクト支持部１１ａを中心にして互いに近づくように弾性変形する。図３（ａ）の右側に示すコンタクト１１は、このように電極５０１および５０２に挟まれて弾性変形した状態を示している。
【００２３】
ここで、コンタクト１１の上側ビーム１１ｂが直線的であるのに対して下側ビーム１１ｃが湾曲しているのは、上側ビーム１１ｂの接触部１１ｅがハウジング１０の上面１０ｐに配置される電極５０１に接触する力と、下側ビーム１１ｃの先端部１１ｆがハウジング１０の下面１０ｓに配置される電極５０２に接触する力とを均衡させるためである。すなわち、通常は、コネクタ１００が実装される回路基板側により大きな反りが生じることが想定されるため、回路基板側の接点と接触する接触部１１ｆがハウジング１０の下面１０ｓから突出する量を先端部１１ｅがハウジング１０の上面１０ｐから突出する量よりも大きくしておく。このため、下側ビーム１１ｃを上側ビーム１１ｂよりも長くしてばね定数を小さくする必要があることを考慮したものである。なお、ハウジング１０のコンタクトキャビティ１０ｃ内に設けられたストッパ部１０ｂは、下側ビーム１１ｃの湾曲部１１ｄに接触して接触部１１ｆがハウジング１０の下面１０ｓから突出し過ぎないように移動を規制するためのものであり、コンタクト１１の変形挙動およびフローティング動作には影響しない。
【００２４】
また、コンタクト１１は、接触部１１ｅがハウジング１０の上面１０ｐで電極５０１と接触する位置と、接触部１１ｆがハウジング１０の下面１０ｓで電極５０２と接触する位置とが上下方向に見たときに重なるように配されている。これにより、コンタクト１１の支持部１１ａの回りに回転モーメントがほとんど発生しない。このため、コンタクト１１の１箇所に設けられた支持部１１ａをハウジング１０のコンタクト支持部１０ａに上方から嵌め込むだけでコンタクト１１を保持することができ、ハウジング１０にコンタクト１１を支持するための特別な部材を配置する必要がない。これにより、コンタクト１１の配置間隔を小さくして、コネクタ１００の接点密度を高めることができる。
【００２５】
図４は、上述のハウジング１０およびコンタクト１１を含んで構成される電気コネクタ１００の全体の構成例を示している。図４（ａ）は上面図、図４（ｂ）は側面図、図４（ｃ）は底面図である。
【００２６】
この電気コネクタ１００は、実装される回路基板上の部品との干渉を避けるための窓部１１０をハウジング１０の中央部に有している。ハウジング１０の外周には、上面に配置される電気回路であるＬＧＡパッケージを受容する凹部を構成するように縁部１０ｈが配されている。縁部１０ｈの少なくとも２つの面には、突起部１０ｇとばね部１０ｆが配置されており、ＬＧＡパッケージを所定位置にガイドするようにされている。また、ハウジング１０は、その上面に受容するＬＧＡパッケージを冷却するためのヒートシンクなどを位置決めするためのボス１１１や、コネクタ１００を回路基板上の所定位置にガイドするためのボス１１２ａ，１１２ｂを備えている。
【００２７】
次に、図５から図８を参照しながら、本発明に係る電気コネクタの第２の実施形態について説明する。
【００２８】
図５は、電気コネクタ２００のハウジング２０にコンタクト２１が装着された状態を示す平面図であり、ハウジング２０の一部のみを示している。ハウジング２０の第１の面（図５では上面）２０ｐには、コンタクト２１を収容するコンタクト収容凹部２０ｄが形成され、各コンタクト収容凹部２０ｄにはコンタクト２１を支持するためのコンタクト支持部２０ａ（図７）が所定間隔で設けられている。また、ハウジング２０の上面２０ｐおよび下面２０ｓにそれぞれ配置される第１の電気回路の接点と第２の電気回路の接点と（いずれも図示せず。）をコンタクト２１を介して相互に電気的に接続するためのコンタクト２１の接触部が配置されるコンタクトキャビティ２０ｃが所定間隔でハウジング２０の上下面に開口している。
【００２９】
図６は、ハウジング２０に装着されるコンタクト２１の形状を示す３面図であり、図６（ａ）は平面図、図６（ｂ）は正面図、図６（ｃ）は左側面図である。このコンタクト２１は、絶縁ハウジング２０のコンタクト支持部２０ａに圧入される圧入支持部２１ａと、圧入支持部２１ａから延びる２つの片持ち状のビーム２１ｂ，２１ｃとを有し、先端部がほぼＣ字形の断面をなすように形成された部材である。上側ビーム２１ｂおよび下側ビーム２１ｃはコンタクト支持部２１ａを介してＵ字形をなすように一体に形成されており、その先端部を折り曲げて形成された接触部２１ｅおよび２１ｆがそれぞれ第１の電気回路の接点５０１および第２の電気回路の接点５０２と接触してこれらを相互に電気的に接続する。コンタクト２１の上側ビーム２１ｂおよび下側ビーム２１ｃは、コンタクト支持部２０ａに対してそれぞれが弾性変形できるようにされている。このような形状のコンタクト２１は、例えば銅合金のような弾性および電気伝導性に優れる金属板を打ち抜き加工および折り曲げ加工することにより形成することができる。
【００３０】
図７は、ハウジング２０にコンタクト２１が装着された状態を示す断面図である。図７（ａ）はコンタクトが配置されるコンタクト収容凹部２０ｄの中央でハウジング２０を切断した断面の一部を、図７（ｂ）は図５のＢ−Ｂ位置でコンタクト収容凹部２０ｄと直交する方向に切断した断面の一部を、それぞれ示している。
【００３１】
コンタクト２１の接触部２１ｅおよび接触部２１ｆが、ハウジングの上下に配置される電気回路の電極５０１および５０２に挟まれてハウジング２０内に押し込まれると、上側ビーム２１ｂおよび下側ビーム２１ｃは、コンタクト支持部２１ａを中心にして互いに近づくように撓むだけでなく、同時に捩れながら弾性変形する。これにより、コンタクト２１の上側ビーム２１ｂおよび下側ビーム２１ｃの上下方向の移動量は、単に撓むだけである場合よりも少なくて済み、接触部２１ｅおよび２１ｆの必要な変位量をハウジング２０を厚くすることなく確保することができる。図７（ａ）の右側に示すコンタクト２１は、このように電極５０１および５０２に挟まれて弾性変形した状態を示している。
【００３２】
なお、圧入固定されたコンタクト２１の下側ビーム２１ｃと接触するコンタクト収容凹部２０ｄの底部２０ｂは、下側ビーム２１ｃがハウジング２０の下面２０ｓに露出して所定以外の部分と接触しないように絶縁保護する部分であり、コンタクト２１の変形挙動には影響しない。
【００３３】
このように、コネクタ２００は、コンタクト２１の上側ビーム２１ｂおよび下側ビーム２１ｃは上下方向にほぼ対称に構成されているため、接触部２１ｅおよび２１ｆが電極５０１および５０２と接触する力もほぼ等しい。そして、接触部２１ｅおよび２１ｆの変位量を多く得られるため、接続される外部回路の電極５０１および５０２との距離が変化してもコンタクト１１を電極５０１および５０２の両方と常に接触させることができ、電気的な接続状態を安定に維持することができる。
【００３４】
また、コンタクト２１は、接触部２１ｅがハウジング２０の上面２０ｐで電極５０１と接触する位置と、接触部２１ｆがハウジング２０の下面２０ｓで電極５０２と接触する位置とが、上下方向に見たときに重なるように配されている。これにより、コンタクト２１の圧入支持部２１ａの回りに回転モーメントがほとんど発生しないため、コンタクト２１の１箇所に設けられた圧入支持部２１ａをハウジング２０のコンタクト支持部２０ａに上方から圧入するだけでコンタクト２１を自立させることができる。したがって、ハウジング１０にコンタクト１１を支持するための特別な部材を配置する必要がなく、さらには、後述するように極間壁２０eを省略することもできる。これにより、コンタクト２１の配置間隔を小さくして、コネクタ２００の接点密度を高めることができる。
【００３５】
図８は、上述のハウジング２０およびコンタクト２１を含んで構成される電気コネクタ２００の全体の構成例を示している。図８（ａ）は上面図、図８（ｂ）は側面図、図８（ｃ）は底面図である。
【００３６】
この電気コネクタ２００の構成は、図４に示した第１の実施形態の電気コネクタ１００の構成とほぼ同様であり、実装される回路基板上の部品との干渉を避けるための窓部２１０をハウジング２０の中央部に有している。ハウジング２０の外周には、上面に配置される電気回路であるＬＧＡパッケージを受容する凹部を構成するように縁部２０ｈが配され、その少なくとも２つの面には突起部２０ｇとばね部２０ｆが配置されてＬＧＡパッケージを所定位置にガイドするようにされている。
【００３７】
次に、本発明に係る電気コネクタの第３の実施形態について説明する。この電気コネクタは、第２の実施形態として示した電気コネクタ２００の変形例であり、ハウジングに装着される各コンタクト間の極間壁２０ｅを省略したものである。
【００３８】
図９は、このような電気コネクタのハウジング３０にコンタクト２１が装着された状態を示す部分断面図であり、図７（ａ）に示す極間壁２０ｄが省略されている状態を示す。
【００３９】
前述のように、コンタクト２１は、接触部２１ｅがハウジング上面で電極５０１と接触する位置と、接触部２１ｆがハウジング下面で電極５０２と接触する位置とがコンタクトキャビティ２０ｃ内で上下方向に見たときに重なるように配されているので、コンタクト２１の圧入部２１ａの回りに回転モーメントがほとんど発生しない。このため、ハウジング２０のコンタクト支持部２０ａに過大な力が加わることがなく、コンタクト支持部の構成を簡略化するとともに、極間壁２０ｅを省略することもできる。この結果、コンタクト２１の配置間隔を小さくすることができ、コネクタ３００の接点密度を高めることができる。
【図面の簡単な説明】
【００４０】
【図１】本発明に係る電気コネクタの第１の実施形態を示す平面図である。
【図２】図１に示す電気コンタクトのハウジングに装着されるコンタクトの形状を示し、（ａ）は平面図、（ｂ）は正面図、（ｃ）は右側面図である。
【図３】図１に示す電気コンタクトのハウジングにコンタクトが装着された状態を示し、（ａ）はコンタクト収容溝１０ｄに沿ってその中央でハウジング１０を切断した断面の一部を、（ｂ）は図１のＡ−Ａ位置でコンタクト収容溝１０ｄと直交する方向に切断した断面の一部を示す。
【図４】図１に示す電気コンタクト全体の構成例を示し、（ａ）は上面図、（ｂ）は側面図、（ｃ）は底面図である。
【図５】本発明に係る電気コネクタの第２の実施形態を示す平面図である。
【図６】図５に示す電気コンタクトのハウジングに装着されるコンタクトの形状を示し、（ａ）は平面図、（ｂ）は正面図、（ｃ）は右側面図である。
【図７】図５に示す電気コンタクトのハウジングにコンタクトが装着された状態を示し、（ａ）はコンタクト収容凹部２０ｄに沿ってその中央でハウジング２０を切断した断面の一部を、（ｂ）は図５のＢ−Ｂ位置でコンタクト収容凹部２０ｄと直交する方向に切断した断面の一部を示す。
【図８】図５に示す電気コンタクト全体の構成例を示し、（ａ）は上面図、（ｂ）は側面図、（ｃ）は底面図である。
【図９】図５に示す電気コネクタの変形例を示す部分断面図である
【符号の説明】
【００４１】
１００，２００    電気コネクタ
１０，２０，３０    絶縁ハウジング
１０ｐ，２０ｐ，３０ｐ    絶縁ハウジングの第１の面（上面）
１０ｓ，２０ｓ，３０ｓ    絶縁ハウジングの第２の面（下面）
１０ａ，２０ａ    コンタクト支持部
１０ｂ    ストッパ部
１０ｃ，２０ｃ    コンタクトキャビティ
１０ｄ    コンタクト収容溝
１０ｅ    コンタクト挿入孔
１１，２１    コンタクト
１１ａ    支持部
１１ｂ，１１ｃ，２１ｂ，２１ｃ    ビーム
１１ｄ    湾曲部
１１ｅ，１１ｆ，２１ｅ，２１ｆ    接触部
２０ｂ    底部
２０ｄ    コンタクト収容凹部
２０ｅ    極間壁
２１ａ    圧入支持部
５０１    第１の電気回路の接点
５０２    第２の電気回路の接点
【図１】
2006073442.tif 000003
【図２】
2006073442.tif 000004
【図３】
2006073442.tif 000005
【図４】
2006073442.tif 000006
【図５】
2006073442.tif 000007
【図６】
2006073442.tif 000008
【図７】
2006073442.tif 000009
【図８】
2006073442.tif 000010
【図９】
2006073442.tif 000011
【手続補正書】
【提出日】平成17年11月7日(2005.11.7)
【手続補正１】
【補正対象書類名】明細書
【補正対象項目名】０００３
【補正方法】変更
【補正の内容】
【０００３】
このようなＬＧＡパッケージと回路基板とに挟まれてこれらを電気的に接続する電気コネクタには、実装される回路基板などに反りなどが生じると接点間に隙間を生じてしまい、確実な電気的接続を維持することが困難になるという問題がある。そこで、このような問題を解決できる電気コネクタを提供するために、特許文献１には、フレキシブル回路部材をスプリング手段と共に配置してコンタクトを構成することが記載されている。また、特許文献２および特許文献３には、それぞれＣ字形状および渦巻状の弾性を有するコンタクトを用いることが記載されている。また、特許文献４には、ばね性をもった片持ち状のコンタクトを用いることが記載されている。
【特許文献１】特開平６−８９７６４号公報（図２、図１１）
【特許文献２】特開平５−２２６０４３号公報（図２）
【特許文献３】特開平１１−１５４５４５号公報（図１）
【特許文献４】特開２００２−２３１４０１号公報（図６、図７）